(57)【要約】【課題】  点滴注射の終了を患者の黙視確認より開放し、自動的に患者ならびにナースセンターに連絡出来るようにする。【解決手段】  薬液びんに輸液セットを装着後、輸液セット点滴筒上部チューブ外径に本点滴注射用液切れ警報器用検出器を取付け輸液が減少限界に達した時、検出器を作動させ警報器に組込まれた電子アラームで患者および治療室では看護師に連絡する。  一方、病室では警報器に内蔵したリレー出力端子よりナースコール押釦スイッチに並列有線接続し、ナースセンターに自動通報する。  また、作動電源はＡＣ／ＤＣアダプターと乾電池併用式のため、食堂やトイレに行く病状の軽度な患者にも適応することが出来る。  本発明の基本は有線式の安価な点滴注射用液切れ警報器である。  なお、医療機関の要望により無線方式によるナースコールシステムの要求のある場合、無線連絡方法の詳細を協議のうえ対処する。【選択図】  図１
2005052472.tif 000002
【特許請求の範囲】
【請求項１】
輸液セットに取付けた点滴注射終了確認用検出器で感知し、警報器を介し患者と
治療室では看護師へ電子アラームで連絡する。
一方、病室を有する医療機関では、終了信号をＣＰＵ（マイコン）により解析処理し
リレー出力端子を設け、新規建設医療機関では当初よりナースコール押釦スイッチと
並列接続し、ナースセンターへ自動連絡する。
また、既存医療機関においては機関側と協議し、接続するか否かを決定する。否時は
アラームにより患者がナースコール押釦スイッチを押し、ナースセンターへ連絡する。
点滴注射終了を患者、看護師ならびにナースセンタ−に自動連絡する有線式の安価な
点滴注射用液切れ警報器である。
なお、作動電源はＡＣ／ＤＣアダプターと乾電池併用式とし、移動可能な患者にも
対応する。
【発明の詳細な説明】
【技術分野】
【０００１】
本発明は、医療機関において患者に点滴注射をする時に用いる物で、点滴注射の
終了時、輸液セットの点滴筒上部の透明チューブ部にセットした検出器が感知し、
その信号を警報器が受信し、患者に電子アラームで知らせると共に、リレー出力に
よりナースコール押釦スイッチと並列接続し、ナースセンターへ自動的に電送する
器具である。
警報器の電源をＡＣ／ＤＣアダプターと乾電池併用式にすることにより、歩行可能な
患者にも対応可能にする点滴注射用液切れ警報器である。
【背景技術】
【０００２】
高価な輸液ポンプならびに簡易輸液装置は実用化され医療機関で広く用いられて
いるが、本発明の如き点滴注射の終了のみを知らせる機器の開発は、特許文献には
多々登録されているにも関らず皆無です。
要因として考えられるのは、個人出願が主でアイディアに止まったことと、安価な
実用化は技術的に非常に困難であったと思われます。
よって、文献例は省略させて頂きました。
【発明の開示】
【発明が解決しようとする課題】
【０００３】
解決しょうとする問題点は、点滴注射の終了確認を患者が常時監視し、終了時に
ナースコール押釦スイッチによりナースコールをし、看護師に連絡している。
手術後や重病患者用には高価な自動輸液ポンプはあるが、一般患者用には対処する
方策がなく、患者の常時監視という初歩的な方法に頼っている。
重病とはいかないまでも苦痛や眠気をもよおす患者にとっては、長時間に渡る
監視作業は精神的・肉体的に非常な負担となっている。
【０００４】
本発明は、点滴注射の終了確認を威圧的に患者に押付けている現状を打破すると共に、
医療機関においては点滴注射をした看護師が、対象患者の記憶と所要時間を想定し
常時巡回する無駄を省き、ナースセンターで通常業務を遂行させ、点滴注射終了を患者
または自動通報のナースコールにより確認し、手の空いた看護師が点滴注射を終了させる
ことにより医療機関の省人化をも図ることの可能な、簡単操作で安価な点滴注射の終了を
通知することを目的として開発する物である。
【課題を解決するための手段】
【０００５】
本発明は、薬液びんに輸液セットを取付け患者に注射をした後、輸液セット点滴筒の
上部チューブ部に、図１の如く点滴注射液有無確認用検出器を取付け、警報器の電源を
入れると共に、ナースコール押釦スイッチ連結用ソケット（自動連絡の場合）を
差し込む。
注射液が徐々に減少し、図２の如くセンサ位置より下がった時、検出器の
投光センサより受光センサが受ける光量が最大となり、警報器が作動しアラームと
リレー出力により患者ならびに看護師（ナースセンター）に自動連絡する。
【０００６】
本発明は、検出器・警報器・電源用ＡＣ／ＤＣアダプターの３部品により構成される。
夫々の配線はコネクターやソケットにより接続され、初心者でも容易に使用可能な
形態とした。
図５は、その構成を分かり易くブロック図として表した物で、その作動順序は
次の如くである。
点滴注射中の輸液が減少限界に達した時、検出器の投光センサより受光センサ
への光量の変化量が、警報器設定値を超えたとき感知する。
積分・アンプ回路により増幅する。
ＣＰＵ（マイコン）により解析処理する。
終了を電子アラームおよびリレー信号として出力する。
【０００７】
本発明の最重点事項として検出器の製作に取組み、図６の如き構造にて開発した。
各部品の仕様および製作上の要点は表１による。
【発明の効果】
【０００８】
統一された輸液セット点滴筒上部のチューブ外径に検出器を取付け、多種類に渡る
点滴溶液に対応すると共に、患者の手を煩わすことなく常に一定位置による輸液の
減少限界を自動的に確認し、患者および治療室の場合は看護師に電子アラームにより
連絡する。
一方、病室の場合は警報器リレー出力端子とナースコール押釦スイッチとを
並列有線接続する医療機関においては、ナースセンターへ自動電送し点滴注射の
終了を通報する。
【発明を実施するための最良の形態】
【０００９】
本発明の操作手順を図により説明する。
【実施例１】
【００１０】
図１は、本発明の基本図で輸液セットのチューブに検出器を取付けた状態図である。
輸液は薬液びんおよび検出器取付け部チューブに充満しており、投光センサの光は
水液により周囲に拡散されるため、受光センサの受ける光量は最小となる。
【実施例２】
【００１１】
図２は、輸液が徐々に減少し検出器のセンサ位置より下となる作動状態図である。
輸液が検出設定限界を下回ることにより水液がなくなり、受光センサの受ける光量は
投光センサより直線的に受けるため最大となる。
検出器作動後、警報にいたる説明は
段落番号６項、２）、３）、４）による。
【００１２】
【表１】
2005052472.tif 000003
注）  検出器の輸液チューブへの着脱は、長期間に渡り確実に安定した保持力を
保つため、図３：クリップ、図４：ひんじ構造とし受注時、医療機関と
協議・決定する。
【産業上の利用可能性】
【００１３】
点滴注射に類似する業務は極めて少なく、強いて挙げるとすれば学校や研究機関での
水溶液を用いる実験や、農業を主体とする薬剤散布等の溶液確認に対応可能と考える。
無線式ナースコールシステムへの対応
【００１４】
各種医療機器への悪影響を排除することを最重要課題と位置付け、ＰＨＳ方式および
特定小電力無線方式を念頭に、対象医療機関のナースコール（ポケットベル）システム
との無線接続要望のある場合、入院ベッド数＋治療室ベッド数＋予備数と多量に渡る
必要数を掌握し、医療機関およびナースコール（ポケットベル）システムメーカーと
協議し、別途設置する。
【図面の簡単な説明】
【００１５】
【図１】輸液充満時の検出器断面図である。（実施例１）
【図２】輸液無し時の検出器断面図である。（実施例２）
【図３】クリップ式角柱形検出器の平面図である。                （円柱形は省略）
【図４】ひんじ式角柱形検出器の平面図である。                （円柱形は省略）
【図５】システム構成ブロック図である。
【図６】検出器断面図である。
【符号の説明】
【００１６】
１  ：  薬液びん
【図１】
2005052472.tif 000004
【図２】
2005052472.tif 000005
【図３】
2005052472.tif 000006
【図４】
2005052472.tif 000007
【図５】
2005052472.tif 000008
【図６】
2005052472.tif 000009